【手続補正書】
【提出日】平成17年2月3日(2005.2.3)
【手続補正１】
【補正対象書類名】明細書
【補正対象項目名】特許請求の範囲
【補正方法】変更
【補正の内容】
【特許請求の範囲】
【請求項１】
複数の極薄状突板を一列に接続した連続状突板の裏面に、不織紙からなる連続状樹脂シートが接合されているものにおいて、該連続状樹脂シートは、不織紙に樹脂を含浸してなるものであることを特徴とする多層木質テープ。
【請求項２】
複数の極薄状突板を一列に接続した連続状突板の裏面に、不織紙に樹脂を含浸してなる連続状樹脂シートを二層以上接合してなることを特徴とする請求項１記載の多層木質テープ。
【請求項３】
前記連続状樹脂シートが木色系の着色樹脂シートであることを特徴とする請求項１又は請求項２記載の多層木質テープ。
【請求項４】
複数の極薄状突板を一列に接続した連続状突板の裏面に、不織紙に樹脂を含浸してなる連続状樹脂シートを二層以上接合してなる多層木質テープの製造方法であって、
前記連続状樹脂シートを引張状態で走行させ、その上面に接着剤を塗布するとともに、上方から前記連続状突板を供給し、その裏面を前記接着剤の塗布面に重ね合わせて、連続状突板を連続状樹脂シートに接合して表面側二層シートを形成する第一工程と、
二枚の連続状樹脂シートを接合して基部側二層シートを形成する第二工程と、  表面側二層シートの下面に一又は複数の基部側二層シートを接合する第三工程とを備えたことを特徴とする多層木質テープの製造方法。
【手続補正２】
【補正対象書類名】明細書
【補正対象項目名】０００２
【補正方法】変更
【補正の内容】
【０００２】
【従来の技術】
複数の極薄状突板を一列に接続して形成した連続状突板の裏面に、不織紙等からなる連続状裏貼りシートを単一又は複数枚接合してなる多層木質テープは公知である。
【手続補正３】
【補正対象書類名】明細書
【補正対象項目名】０００３
【補正方法】変更
【補正の内容】
【０００３】
この木質テープは、図２で示すように、例えば、集成材からなる階段等の基材ｘの端縁を被覆して、あたかも銘木による一枚板であるかのような外観を呈するようにする等、仕上材，補修材として用いられる。ところで、基材ｘの被着面は、表面に凹凸があり、薄い木質テープであると、その凹凸がテープ表面にも表れてしまい、このため、厚肉のテープが求められている。また、同図で示すように、階段の前縁に接合された木質テープは面取りｙが行われ、このため、同様に、厚肉である必要があり、しかもに、切断面が周囲の木質面と違和感があるものであってはならない。
【手続補正４】
【補正対象書類名】明細書
【補正対象項目名】０００７
【補正方法】変更
【補正の内容】
【０００７】
【課題を解決するための手段】
本発明は、複数の極薄状突板を一列に接続した連続状突板の裏面に、不織紙からなる連続状樹脂シートが接合されているものにおいて、該連続状樹脂シートは、不織紙に樹脂を含浸してなるものであることを特徴とする多層木質テープである。さらには、本発明は、複数の極薄状突板を一列に接続した連続状突板の裏面に、不織紙に樹脂を含浸してなる連続状樹脂シートを二層以上接合してなることを特徴とする多層木質テープである。
【手続補正５】
【補正対象書類名】明細書
【補正対象項目名】００１０
【補正方法】変更
【補正の内容】
【００１０】
かかる構成の多層木質テープにあっては、
連続状樹脂シートを引張状態で走行させ、その上面に接着剤を塗布するとともに、上方から前記連続状突板を供給し、その裏面を前記接着剤の塗布面に重ね合わせて、連続状突板を連続状樹脂シートに接合して表面側二層シートを形成する第一工程と、
二枚の連続状樹脂シートを接合して基部側二層シートを形成する第二工程と、  表面側二層シートの下面に一又は複数の基部側二層シートを接合する第三工程とを順次行うことにより良好に製造することができる。
【手続補正６】
【補正対象書類名】明細書
【補正対象項目名】００３３
【補正方法】変更
【補正の内容】
【００３３】
また、連続状樹脂シート４を、薄茶色等の木色系の着色樹脂シートとすることができ、この場合には、上述した図２のように面取りｙにより切断面が露出する場合に、その切断面に木質感を生じさせることが可能となり、さらに良好な仕上材となる。
【手続補正７】
【補正対象書類名】明細書
【補正対象項目名】００３４
【補正方法】変更
【補正の内容】
【００３４】
【発明の効果】
本発明は上述のように、連続状突板の裏面に、不織紙に樹脂を含浸してなる連続状樹脂シートを接合してなるものであるから、十分な厚さの仕上材を形成できる。また連続状樹脂シートを二層以上接合してなるものにあっては、複数枚の、凹凸がある基材の被貼着面に貼着した場合に、該凹凸が吸収され、貼着後の表面を平滑とすることができ、しかも連続状樹脂シートの調製により、固さや，柔軟性も最適なものとすることができて、用途に応じた最適な特性を備えるものに調整することが容易となり、ロールから巻き戻しても、巻き癖がつきにくく、基材に貼りつけるに際に、作業性が良い。また、天然の銘木を多数用いるものとは異なり、単価が安く、加工が簡単で、ヒビ割れの発生，接合不良等に生じにくく、不良品の発生率が低い。しかも、切断面でササクレが無く、施工時の後加工が容易である。
【手続補正８】
【補正対象書類名】明細書
【補正対象項目名】００３５
【補正方法】変更
【補正の内容】
【００３５】
また、連続状樹脂シート４を、薄茶色等の木色系の着色樹脂シートとすることができ、この場合には、上述した図２のように面取りｙにより切断面が露出する場合に、その切断面に木質感を生じさせることが可能となる。
【手続補正９】
【補正対象書類名】明細書
【補正対象項目名】００３６
【補正方法】変更
【補正の内容】
【００３６】
さらに、連続状樹脂シートを引張状態で走行させ、その上面に接着剤を塗布するとともに、上方から前記連続状突板を供給し、その裏面を前記接着剤の塗布面に重ね合わせて、連続状突板を連続状樹脂シートに接合して表面側二層シートを形成する第一工程を備えた上述の多層木質テープ製造方法にあっては、引張状態で走行させた連続状樹脂シート上に、接着剤を塗布するものであるから、該連続状樹脂シートが均一厚であるため、接着剤の供給量が安定し、しかも塗布した接着剤が殆ど吸収されず、塗布むらが生じることがなく、接合強度が向上し、接着剤を節約することができる。また、連続状樹脂シートを走行させるものであるため、連続状突板の突き合わせ部に引張力が作用せず、走行速度を速くしても、該突き合わせ部に隙間が生じることがなく、さらに、連続状樹脂シートが均一厚であるため、蛇行することもなく、生産効率を向上させることができる。
【手続補正１０】
【補正対象書類名】明細書
【補正対象項目名】図面の簡単な説明
【補正方法】変更
【補正の内容】
【図面の簡単な説明】
【図１】
本発明の一実施例に係る多層木質テープ２０の縦断側面図である。
【図２】
多層木質テープ２０の使用例を示す縦断側面図である。
【図３】
連続状突板３の製造工程を示し、イは極薄状突板３の接続前の斜視図、ロはフィンガージョイント加工を施した極薄状突板の接続前の平面図。ハは極薄状突板を接続して形成した連続状突板の側面図である。
【図４】
第一工程の概略図である。
【図５】
図４における接合工程の一部拡大側面図である。
【図６】
第三工程の一部拡大側面図である。
【手続補正１１】
【補正対象書類名】図面
【補正対象項目名】図７
【補正方法】削除
【補正の内容】